(57)【要約】【課題】下地に取り付ける際に高さ調整が不要であって、軒先に水平状の意匠感を与えることができる軒先納め構造、及びその施工方法を提供する。【解決手段】本発明の軒先納め構造は、建築物の軒先に樋受け部材１と樋部材２とで構成する軒先納め構造において、樋受け部材１は、レベル調整された下地３上に固定する固定部１１と、該固定部１１から垂下する内側縦部１２と、該内側縦部１２から外方へ延出する底面部１３と、該底面部１３から立ち上がる外側縦部１４とからなり、前記樋受け部材１の内側に、上方が開放状に形成される樋部材２を配設すると共に、樋部材２は長さ方向に水勾配を付与されて配設されていることを特徴とする。【選択図】図１
2008231674.tif 000002
【特許請求の範囲】
【請求項１】
建築物の軒先に樋受け部材と樋部材とで構成する軒先納め構造において、
樋受け部材は、レベル調整された下地上に固定する固定部と、該固定部から垂下する内側縦部と、該内側縦部から外方へ延出する底面部と、該底面部から立ち上がる外側縦部とからなり、
前記樋受け部材の内側に、上方が開放状に形成される樋部材を配設すると共に、樋部材は長さ方向に水勾配を付与されて配設されていることを特徴とする軒先納め構造。
【請求項２】
樋受け部材は、複数部材で構成されていると共に、少なくとも固定部と内側縦部が一体に形成されていることを特徴とする請求項１に記載の軒先納め構造。
【請求項３】
外側縦部の外側に、固定部と略同一平面状の延出部を形成し、該延出部から固定部間を被覆すると共に雨水の流入孔を形成した蓋部材を配設したことを特徴とする請求項１又は２に記載の軒先納め構造。
【請求項４】
建築物の軒先に樋受け部材と樋部材とで構成される軒先納め構造を施工する方法であって、
樋受け部材は、レベル調整された下地上に固定する固定部と該固定部から垂下する内側縦部が一体に形成された部材と、前記内側縦部に固定されて外方へ延出する底面部と、該底面部から立ち上がる外側縦部とからなり、
前記固定部を有する部材を下地上に固定し、屋根面を構築した後、底面部、外側縦部を取り付け、その内側に上方が開放状に形成される樋部材を配設すると共に、樋部材は長さ方向に水勾配を付与されて配設することを特徴とする軒先納め構造の施工方法。
【発明の詳細な説明】
【技術分野】
【０００１】
本発明は、下地に取り付ける際に高さ調整が不要であって、軒先に水平状の意匠感を与えることができる軒先納め構造、及びその施工方法に関する。
【背景技術】
【０００２】
従来、樋としては、軒先に設ける軒樋が一般的に広く知られているが、建物内に樋を設ける内樋もあり、それぞれに異なる問題点を有している。
【０００３】
内樋は、軒先に樋が必要ないため、軒先の意匠性に優れ、すっきりとした外観が得られる。
しかし、内樋は、建物内に樋を設ける構造のため、構造上複雑であり、仮に内樋で雨水等がオーバーフローすることがあった場合、内樋の軒側にある屋根材裏面に雨水が浸入する恐れがあった。また、内樋を採用する場合、設計段階から計画しなければならず、設計後の変更が難しく、躯体工事も従来のものと異なり、コスト増が避けられなかった。
【０００４】
軒樋は、例えば特許文献１，２に開示されるように、主に垂直面に施工される鼻板等に軒先側へ延在する支持金具を取り付け、この支持金具に軒樋を配設する構造が知られ、前記内樋に比べて構造上簡易であるため、適用しやすい。
しかし、この構造では、支持金具の取り付けに際し、高さ位置の調整を行わなければならず、高さ調整に不具合が生じると、樋内に流入した雨水が円滑に処理されず、水があふれるという問題が生じていた。尚、ここでいう高さ調整とは、取付位置及び雨水の円滑な流れを果たす水勾配を付与するための高さ調整を指す。
さらに、不具合なく支持金具を高さ調整でき、仮に、軒樋の長さ方向に縦樋へ向かう水勾配を設けたとしても、軒樋全体を（特に側方から）見た場合、略水平状の屋根の軒先に対して斜めに傾斜して見えてしまうため、意匠上好ましいものではなかった。特に樋が大型化した場合に顕著に現れるものであった。
また、鼻板等に軒先側へ延在する支持金具を取り付ける場合、樋内に流入する雨水や堆積するゴミ（土、落ち葉等のゴミ）の荷重が取付部分に集中するため、破損する恐れもあった。
【０００５】
一方、特許文献３に開示されるように屋根面（下地、野地）から樋を軒先へ持ち出す構造も知られている。
しかし、この構造では、軒樋の長さ方向に縦樋へ向かう水勾配を設けることができないため、樋内で水が滞留する恐れがあった。
また、軒樋を屋根工事（屋根面構築）に先立って取り付けなければ屋根工事が行えないため、建築物全体の施工（作業工程）に制限を受けるものであった。
さらに、軒樋の取り付け後に屋根工事を行うため、工事中に軒樋を破損してしまう事故が起こったり、軒樋が工事の邪魔になることがあった。
他方、Ｃ形鋼等の躯体から支持金具を持ち出す方法もあるが、Ｃ形鋼等の躯体には誤差が多分にあり、支持金具のレベル調整が極めて難しいものとなる。
【０００６】
【特許文献１】実開平５−７７４１７号公報
【特許文献２】実用新案登録第２５５５２０７号公報
【特許文献３】実開平５−６１３２３号公報
【発明の開示】
【発明が解決しようとする課題】
【０００７】
そこで、本発明は、前記問題点を解消でき、下地に取り付ける際に高さ調整が不要であって、軒先に水平状の意匠感を与えることができる軒先納め構造を提案することを目的とする。
【課題を解決するための手段】
【０００８】
本発明は、上記に鑑み提案されたもので、建築物の軒先に樋受け部材と樋部材とで構成する軒先納め構造において、樋受け部材は、レベル調整された下地上に固定する固定部と、該固定部から垂下する内側縦部と、該内側縦部から外方へ延出する底面部と、該底面部から立ち上がる外側縦部とからなり、前記樋受け部材の内側に、上方が開放状に形成される樋部材を配設すると共に、樋部材は長さ方向に水勾配を付与されて配設されていることを特徴とする軒先納め構造に関するものである。
【０００９】
また、本発明は、前記軒先納め構造において、樋受け部材は、複数部材で構成されていると共に、少なくとも固定部と内側縦部が一体に形成されている軒先納め構造をも提案するものである。
【００１０】
さらに、本発明は、前記軒先納め構造において、外側縦部の外側に、固定部と略同一平面状の延出部を形成し、該延出部から固定部間を被覆すると共に雨水の流入孔を形成した蓋部材を配設した軒先納め構造をも提案するものである。
【００１１】
また、本発明は、建築物の軒先に樋受け部材と樋部材とで構成される軒先納め構造を施工する方法であって、樋受け部材は、レベル調整された下地上に固定する固定部と該固定部から垂下する内側縦部が一体に形成されている部材と、前記内側縦部に固定されて外方へ延出する底面部と、該底面部から立ち上がる外側縦部とからなり、前記固定部を有する部材を下地上に固定し、屋根面を構築した後、底面部、外側縦部を取り付け、その内側に上方が開放状に形成される樋部材を配設すると共に、樋部材は長さ方向に水勾配を付与されて配設することを特徴とする軒先納め構造の施工方法をも提案するものである。
【発明の効果】
【００１２】
本発明の軒先納め構造は、樋受け部材の外側縦部及び底面部が化粧面となり、その内部に樋部材が配設される構造であって、樋受け部材を下地に取り付ける際に高さ調整が不要であって、軒先に水平状の意匠感を与えることができる。
そのため、樋が大型化した場合も意匠上に支障がなく、また樋部材を目立たないように施工する必要もないものであった。
【００１３】
特に樋受け部材を複数部材で構成した場合には、固定部と内側縦部を一体に形成した部材とそれ以外の底面部、外側縦部を別部材とすることができるため、固定部を有する部材以外を屋根面構築の後に取り付けることができる。そのため、建築物全体の施工（作業工程）に制限を与えることがないし、屋根工事中に軒樋を破損する事故が起こり得ないし、軒樋が工事の邪魔になることも決してない。
【００１４】
また、外側縦部の外側に、固定部と略同一平面状の延出部を形成され、該延出部から固定部間を被覆すると共に雨水の流入孔を形成した蓋部材を配設した場合、蓋部材が木の枝や葉などの浸入を防ぐために樋内で水が滞留することがない。
【００１５】
さらに、本発明の施工方法は、固定部を有する部材を屋根面構築工事に先立って取り付け、屋根工事の後に、その他の部材並びに樋部材を取り付けるので、屋根工事中に軒樋を破損する事故が起こり得ないし、軒樋が工事の邪魔になることも決してない。
【発明を実施するための最良の形態】
【００１６】
本発明の軒先納め構造は、建築物の軒先に樋受け部材と樋部材とで構成されるものであって、樋受け部材の外側縦部及び底面部が化粧面となり、その内部に樋部材が配設される構造である。
【００１７】
本発明における樋受け部材は、レベル調整された下地上に固定する固定部と、この固定部から垂下する内側縦部と、この内側縦部から外方へ延出する底面部と、この底面部から立ち上がる外側縦部とからなり、単一部材で構成されるものでも複数部材を組み合わせて構成されるものでもよい。
【００１８】
この樋受け部材は、屋根面構築工事に先立って取り付けられるが、複数部材を組み合わせて構成される場合には、固定部のみを固定するよりも、固定部の軒端を垂下させて取付部分（内側縦部の上方部分）を一体に形成した部材、又は固定部と内側縦部を一体に形成した部材を固定し、屋根工事の施工後に、それ以外の底面部、外側縦部を取り付けるようにすることが望ましい。即ち固定部に取付部分を形成した部材も、固定部と内側縦部を一体に形成した部材も、屋根工事の邪魔になることがないし、屋根工事の後には、その他の部材を容易に取り付けることができる。
【００１９】
固定部と内側縦部は面状であってもフレーム状でもよいが、底面部と外側縦部はそれぞれ面状であるため、長さ方向に連続する通し材とするか、長さ方向に直列状に連結できるものを用いる。
取り付け作業の効率化を考慮すると、後述する図示実施例のように底面部と外側縦部とを一体に形成した化粧面材とすることが望ましい。
【００２０】
また、外側縦部の外側に、固定部と略同一平面状の延出部を形成され、該延出部から固定部間を被覆すると共に雨水の流入孔を形成した蓋部材を配設した場合、蓋部材が雨水以外の木の枝や葉、或いは砂などの浸入を防ぐために樋内で水が滞留することがない。
【００２１】
樋部材は、上方が開放状に形成されるものであれば、特にそれ以外の構成は特定するものではない。この樋部材としては、表面化粧鋼板、ラミネート鋼板、メッキ鋼板、ステンレス鋼板、アルミ合金板、チタン合金板、銅板、真鍮板、鉛板等の公知の金属素材、或いは樹脂製等が適宜に用いられ、その素材厚は特に限定するものではなく、長さ方向に連続する通し材が用いられる。
【実施例１】
【００２２】
本発明の軒先納め構造は、図１に示すように建築物の軒先に樋受け部材１と樋部材２とで構成する軒先納め構造であって、樋受け部材１の外側縦部１４及び底面部１３が化粧面となり、その内部に樋部材２が配設される構造である。
尚、この図１は樋部材２の長さ方向における水勾配の水下側を示す断面図である。
【００２３】
樋受け部材１は、レベル調整された下地３上に固定する固定部１１と、この固定部１１から垂下する内側縦部１２と、この内側縦部１２から外方へ延出する底面部１３と、この底面部１３から立ち上がる外側縦部１４とからなる。
図示実施例の樋受け部材１は、略傾斜面状の固定部１１と縦面である内側縦部１２が一体に形成された支持部材１ａと、略平坦面状の底面部１３と縦面である外側縦部１４が一体に形成された化粧面材１ｂとからなり、底面部１３の水下端には縦樋７が貫通する開口部が設けられ、外側縦部１４の外側には、固定部１１と略同一平面状の延出部１５が形成され、その外側端縁が略垂直状に折り下げられている。
また、内側縦部１２の上端には固定部１１と略同一面状であって、内側に延在する蓋材取付部１６が形成され、内側縦部１２の下端の内側（建築物側）及び外側（樋側）には下端フランジ１７が形成され、この内側の下端フランジ１７が躯体（Ｃ型鋼４１）に固定される幕板金具４ｂに取り付けられている。さらに、前記の内側縦部１２の下方には傾斜状の分枝部１８が設けられ、この分枝部１８には略へ字状の連結部材１ｃがビス止め固定されている。
前記の支持部材１ａも化粧面材１ｂもアルミの押出材であって、長さ方向に連続する通し材として成形した。
【００２４】
樋部材２は、深く形成される内側壁面２１と略水平状の底面２２と浅く形成される外側壁面２３とからなり、上方が開放状の通し材である。外側壁面２３の外側には、固定部１１と略同一平面状の外縁部２４が形成されている。この樋部材２は、前記樋受け部材１の内側に、長さ方向に水勾配を付与されて配設する。
【００２５】
前記下地３は、Ｃ形鋼４ａ等により形成される躯体４上に野地材３０を配して形成されたものであって、この野地材３０の取り付けに際しては定法に準じてレベル調整されているものである。そのため、前記固定部１１（支持部材１ａ）の取り付けに際して改めてレベル調整する必要はなく、容易に施工することができる。
【００２６】
また、図示実施例では、外側縦部の外側に、固定部１１と略同一平面状の延出部１５が形成され、この延出部１５から固定部１１間を被覆すると共に雨水の流入孔８１を形成した蓋部材８を配設した。
この蓋部材８は、スリット状、円孔状などの流入孔８１を形成した板状材であって、内側端は固定部１１上に至って蓋材取付部１６にビス止めされ、外側端８２は延出部１５からさらにその外側端縁の下端をくるむように取り付けられている。
【００２７】
このような構成の軒先納め構造は、（１）まず屋根面構築施工に先立って前記支持部材１ａを固定した後、（２）次に屋根面を構築し、（３）続いて前記化粧面材１ｂを取り付け、（４）その後、形成された樋受け部材１の内部に樋部材２を配設し、（５）さらにその後、蓋部材８を取り付けて施工する。
【００２８】
（１）まず、前記支持部材１ａを固定する。
レベル調整された下地３に固定部１１（支持部材１ａ）を沿わせてビス等の各種固定手段にて固定し、さらに断面Ｌ字状の幕板金具４ｂをＣ形鋼４ａの下フランジに固定すると共に内側縦部１２の内側の下端フランジ１７に固定する。
【００２９】
（２）次に屋根面を構築する。
図示実施例の屋根面構築施工は、面板部５１の水下・水上側に相互に係合可能な水下側成形部５２、水上側成形部５３を有する横葺き外装材（以下、単に外装材という）５を敷設して施工されるものである。
水上側成形部５３は、面板部５１の水上側の端縁を表面側から折返し状に屈曲して水下側上方へ延在させ、その上端を折返し状に屈曲させると共にその下端を水下側に弓状（弧状）に折曲し、さらにその下端を跳ね上げ状に屈曲させた形状である。
水下側成形部５２は、面板部５１の水下側の端縁を裏面側に傾斜状に折曲し、その下端を水上側に折返し状に延出させ、表面側へ隆起する段部を介してその先端を下方へ屈曲させた構成である。
この外装材５は、素材を特に限定するものではないが、代表的には概ね０.４乃至１.６mm程度の表面化粧鋼板、ラミネート鋼板、メッキ鋼板、ステンレス鋼板、アルミ合金板、チタン合金板、銅板等の公知の金属素材をロール成形その他の手段で所定の形状に成形する。また、外装材５の裏面には、結露防止、防音、防火対策上の理由により、必要に応じてポリエチレンフォーム、グラスウールシート等の裏貼り材を添装しても良い。
そして、下地３上に固定された軒先唐草６’に最下段の外装材５の水下側成形部５２を係合させ、棟側に向かって吊子と称される保持部材（図示せず）にて順次取り付けるものであり、水下側成形部５２に水上側成形部５３が係合するように敷設し、屋根面を構築する。
尚、図示実施例では、外装材５として横葺を採用したが、これに限定されるものではなく、縦葺きでもよい。
【００３０】
（３）続いて化粧面材１ｂを取り付けて樋受け部材１を形成する。
屋根面を構築した後、内側縦部１２の下端内側（と分枝部１８の基端との間）に、底面部１３の断面Ｌ字状の内側端部が係合するように化粧面材１ｂを配置してビス等にて一体的に固定すると共に、連結部材１ｃを分枝部１８にビスにて固定することにより、この連結部材１ｃと外側の下端フランジ１７との間に化粧面材１ｂの端部を挟持状に保持し、樋受け部材１を形成する。
【００３１】
（４）その後、前記樋受け部材１の内側に、樋部材２を配設するが、その際に長さ方向に水勾配を付与するように配設する。
即ち前記のようにこの図１は水勾配の水上側を示しているので、樋部材２の底面２２が略水平状に配設される樋受け部材１の底面部１３に対して上方に位置しているが、水下側では、樋受け部材１の底面部１３の直上に底面２２が位置するように配設する。
また、樋部材２の配設に際し、樋受け部材１の延出部１５上に外縁部２４を載置するように臨ませ、内側縦部１２の上端内側には断面Ｚ字状の水切り材２’を固定した。
【００３２】
（５）さらにその後、前記蓋部材８が前記樋部材２の開放上部を覆うように臨ませ、延出部１５から固定部１１間を被覆させる。
蓋部材８の内側端は固定部１１上に臨ませて蓋材取付部１６にビス止めし、外側端は延出部１５からさらにその外側端縁の下端をくるむように取り付けた。
【００３３】
こうして前記（１）〜（５）より施工される軒先納め構造は、樋受け部材１の外側縦部１４及び底面部１３が化粧面となり、その内部に樋部材２が配設される構造であって、樋部材２が水勾配を付与されて傾斜していても露出しないので、意匠的に好ましく、軒先に水平状の意匠感を与えることができる。
【００３４】
また、図示実施例の軒先納め構造は、樋受け部材１を複数部材で構成し、固定部１１と内側縦部１２を一体に形成した支持部材１ａとそれ以外の底面部１３、外側縦部１４を別部材（化粧面材１ｂ）としたので、支持部材１ａ以外を屋根面構築の後に取り付けることができ、建築物全体の施工（作業工程）に制限を与えることがないし、屋根工事中に軒樋を破損する事故が起こり得ないし、軒樋が工事の邪魔になることも決してない。
【００３５】
固定部１１を有する支持部材１ａは、レベル調整されている下地３（野地板３０）上に取り付けるため、上下のレベル調整を必要とすることがない。
【００３６】
仮に樋部材２がオーバーフローした場合、外側壁面２３が低いため、図中に点線矢印☆１で示すように流れるが、万が一逆に内側壁面２１から点線矢印☆２で示すようにオーバーフローした場合でも、樋部材２と樋受け部材１は別構成であるため、建物内部への水の浸入が起こらない。
【００３７】
また、外側縦部１４の外側に、延出部１５を形成して蓋部材８を配設したので、蓋部材８が木の枝や葉などの浸入を防ぐために樋部材２の内部にて詰まりが生じたり水が滞留することがない。この蓋部材８は、屋根材５と同じ素材（金属板材）で成形してもよく、その場合、屋根面と一体感が与えられる。さらに、この蓋部材８は、屋根勾配と同じであるため、屋根上の積雪がスムーズに落雪し易い。
【００３８】
図２に示す実施例は、樋受け部材１が、固定部１１とその軒端を垂下させて内側縦部１２の上方部分に相当する取付部分１２’を一体に形成した構成の支持部材１ｄと、内側縦部１２と底面部１３と外側縦部１４とを一体に形成した構成の化粧面材１ｅとからなる以外は、前記図１の実施例とほぼ同様であるから、同一符号を付して説明を省略する。
尚、この図２は樋部材２の長さ方向における水勾配の水下側を示す断面図である。
【００３９】
この実施例では、内側縦部１２は化粧面材１ｅに設けられ、その上端内側にナットが抱持され、その内側に支持部材１ｄの取付部分１２’を沿わせた状態でボルトを内側から固定して一体化することができる。尚、６は外装材５を取り付けるための保持部材であり、１９は底面部１３及び外側縦部１４の内面側に配設される防水シート材である。
【００４０】
図３に示す実施例は、前記図１の実施例と同様に、樋受け部材１が、固定部１１とその軒端を垂下させて内側縦部１２が一体に形成された支持部材１ｆと、底面部１３と外側縦部１４が一体に形成された化粧面材１ｇとからなり、両部材１ｆ，１ｇを連結部材１ｈにて固定する。それ以外は、前記図１の実施例とほぼ同様であるから、同一符号を付して説明を省略する。
尚、この図３は樋部材２の長さ方向における水勾配の水下側を示す断面図である。
【００４１】
図４に示す実施例は、樋受け部材１が、固定部１１とその軒端を垂下させて内側縦部１２が一体に形成された支持部材１ｉと、内側縦部１２と底面部１３と外側縦部１４が一体に形成された化粧面材１ｊとからなり、内側縦部１２は支持部材１ｉにも化粧面材１ｊにも設けられている。そして、各内側縦部１２を並列した状態で固定具１ｌを固定し、両部材１ｉ，１ｊを固定する。それ以外は、前記図１の実施例とほぼ同様であるから、同一符号を付して説明を省略する。
尚、この図４は樋部材２の長さ方向における水勾配の水下側を示す断面図である。
【００４２】
図５に示す実施例は、前記図４の実施例と同様に、樋受け部材１が、固定部１１とその軒端を垂下させて内側縦部１２が一体に形成された支持部材１ｋと、内側縦部１２と底面部１３と外側縦部１４が一体に形成された化粧面材１ｍとからなり、内側縦部１２は支持部材１ｋにも化粧面材１ｍにも設けられている。そして、各内側縦部１２を並列した状態で固定具１ｌを固定し、両部材１ｋ，１ｍを固定する。それ以外は、前記図１の実施例とほぼ同様であるから、同一符号を付して説明を省略する。
尚、この図４は樋部材２の長さ方向における水勾配の水下側を示す断面図である。
【００４３】
図６に示す実施例は、前記図４及び図５の各実施例と同様に、樋受け部材１が、固定部１１とその軒端を垂下させて内側縦部１２が一体に形成された支持部材１ｎと、内側縦部１２と底面部１３と外側縦部１４が一体に形成された化粧面材１ｏとからなり、内側縦部１２は支持部材１ｎにも化粧面材１ｏにも設けられている。そして、各内側縦部１２を並列した状態で、化粧面材１ｏの内側縦部１２上端に形成された折曲片に嵌合する固定金具１ｐを内側から支持部材１ｎの内側縦部１２の上端に固定し、両部材１ｎ，１ｏを固定する。それ以外は、前記図１の実施例とほぼ同様であるから、同一符号を付して説明を省略する。
尚、この図４は樋部材２の長さ方向における水勾配の水下側を示す断面図である。
【図面の簡単な説明】
【００４４】
【図１】本発明の軒先納め構造の一実施例を示す側断面図である。
【図２】本発明の軒先納め構造の他の一実施例を示す側断面図である。
【図３】本発明の軒先納め構造の他の一実施例を示す側断面図である。
【図４】本発明の軒先納め構造の他の一実施例を示す側断面図である。
【図５】本発明の軒先納め構造の他の一実施例を示す側断面図である。
【図６】本発明の軒先納め構造の他の一実施例を示す側断面図である。
【符号の説明】
【００４５】
１  樋受け部材
１１  固定部
１２  内側縦部
１３  底面部
１４  外側縦部
１５  延出部
２  樋部材
３  下地
【図１】
2008231674.tif 000003
【図２】
2008231674.tif 000004
【図３】
2008231674.tif 000005
【図４】
2008231674.tif 000006
【図５】
2008231674.tif 000007
【図６】
2008231674.tif 000008